(57)【特許請求の範囲】
【請求項１】
受信契約者を特定するデータが記憶されたデータ記憶体を装着するための装着部を有す
るデジタルテレビョン受像機である電子機器の本体と、
前記装着部に形成された前記データ記憶体を挿入するための挿入口と、
前記挿入口を覆うように開閉自在に回動して前記本体の外筺に設けたカバーと、
前記外筺に形成した貫通孔を介して前記カバーに設けた押圧部により作動されるスイッ
チと、
前記スイッチの作動により前記装着部に装着された前記データ記憶体のデータを読み取
って前記電子機器の制御を行なうための電気回路部と、
前記貫通孔を開閉し、この閉成状態において前記外筺の外側と前記スイッチとの間の空間からなる経路が開成状態より長くなり、該外筺の裏面に平行にガイドにより摺動可能に設けられた合成樹脂からなるシャッターと、
前記シャッターに付され、少なくとも前記貫通孔を閉成した状態で接地路を通じて接地される導電材と、
前記カバーの回動力を前記シャッターの摺動力に変換し、該カバーの開閉動作に連動して該シャッターによる前記貫通孔を閉成及び開成状態を得るための連結部とを備えてなることを特徴とする電子機器。
【請求項２】
データ記憶体を装着するための装着部を有する電子機器の本体と、
前記装着部に形成された前記データ記憶体を挿入するための挿入口と、
前記挿入口を覆うように開閉自在に前記本体の外筺に設けたカバーと、
前記外筺に形成した貫通孔を介して前記カバーに設けた押圧部により作動されるスイッ
チと、
前記スイッチの作動により前記装着部に装着された前記データ記憶体のデータを読み取
って前記電子機器の制御を行なうための電気回路部と、
前記貫通孔を開閉し、この閉成状態において前記外筺の外側と前記スイッチとの間の空間からなる経路が開成状態より長くするシャッターと、
前記カバーの開閉動作に連動して前記シャッターによる前記貫通孔を閉成及び開成状態を得るための連結部とを備えてなることを特徴とする電子機器。
【請求項３】
前記本体は、デジタルテレビョン受像機の本体であり、前記データ記憶体は、受信契約者を特定するデータが記憶されたものであることを特徴とする請求項2に記載の電子機器。
【請求項４】
前記シャッターは、合成樹脂からなり、前記外筺の裏面に平行にガイドにより摺動可能に設けられていることを特徴とする請求項２に記載の電子機器。
【請求項５】
前記カバーは、前記外筺に回動自在に設けられ、前記シャッターは、前記外筺の裏面にガイドにより摺動可能に設けられ、前記連結部は該カバーの回動力を前記シャッターの摺動力に変換することを特徴とする請求項２に記載の電子機器。
【請求項６】
前記シャッターは、少なくとも前記貫通孔を閉成した状態で接地路を通じて接地される導電材が付されていることを特徴とする請求項２又は４に記載の電子機器。
【発明の詳細な説明】
【技術分野】
【０００１】
本発明は、データ記憶体を装着するための装着部を有する電子機器に関し、特に受信契
約者を特定するデータが記憶されたデータ記憶体を装着部に装着して受信状態を得るデジタルテレビジョン受像機に適用して好適な電子機器に関する。
【背景技術】
【０００２】
近時、テレビジョン放送のデジタル化に伴い、衛星デジタルテレビジョン放送にあっては多くが有料化とされている。この視聴料金の管理システムとしては、デジタル化による双方向サービスが実現したことにより、実際に番組を視聴したときに料金を支払う方が取られている。具体的には、契約者を特定するＩＤが記録されたカードをテレビジョン受像機にセットすることにより視聴状態を把握して課金管理を行なっている。視聴時には、カードを挿入口に挿入して内部の電気回路部と接続する。挿入口は、視聴時に誤ってカードを抜き取ってしまうことがないようにカバーで覆われている。そして、カバーがカードを挿入した状態で挿入口を閉じたときに、初めて電気回路部が作動して視聴を可能にする。この機構は、電気回路部の作動を制御するスイッチを内部に設け、外筺にスイッチの作動子が外部に臨ませられる貫通孔を形成し、カバーに設けられた押圧部により貫通孔を介して作動子を押圧すようになっている。即ち、カバーで挿入口を閉じたときに押圧部が作動子を押圧し、開いたときに作動子を押圧している状態を解除するようになっている。
【０００３】
このようにして、有料のデジタル放送における視聴の課金管理のための機構が形成されている。
【０００４】
ところが、カバーを開いた状態では、静電気を帯びた、例えば人体が受像機の前面に近づくと、スイッチとの間に放電が発生することがある。これは、貫通孔を通して電気的に接地されたスイッチが外部に臨まされるためである。この放電電流はスイッチから電気回路部を通して接地側に流れるので電気回路部の集積回路等の部品が損傷されてしまう。
【０００５】
従来、電子機器のカバーについては、例えば、下記の特許文献１で示す技術が提案されている。これは、電子機器本体に開閉可能な可動体を有する電子機器において、電子機器本体を可動体間の回動部分の空間を塞ぐ可動式目隠し機構が設けられてものである。この従来技術は、液晶表示パネル付きビデオカメラ装置のような電子機器に適用して、液晶表示パネルとビデオカメラ本体間の可動部、すなわちヒンジ機構部の回動軌跡のために、液晶パネルを開いたときに、ヒンジ機構部とビデオカメラ本体間に空間が生じ、内部に収納されているハーネス（即ち液晶表示パネルとビデオカメラ本体を電気的に接続するための結線）や内部の基板、構造物が見えてしまし、商品としての美観を損なうという欠点を解決したものである。
【０００６】
また、従来技術としては、例えば、下記の特許文献２で示すものが提案されている。これは、プリンタのような画像形成装置において、記録面を上にして排出するフェイスアップ排出部と、記録面を下にして排出するフェイスダウン排出部と、シートを排出する際にいずれかの排出部とを選択する切替え手段と、フェイスアップ排出部に開閉可能に設けられた目隠しカバーと、切替え手段と目隠しカバーとを連動させるための連結手段とを有するものであって、連結手段を、分割された少なくとも二つの連結部材と、連結部材間に張力を生じる弾性部材とからなる構成を備えたものである。そして、確実に目隠しカバーを全開させてシートの搬送性を確保するとともに、目隠しカバーが机上面に衝突する際の衝撃を低減させている。
【特許文献１】特開２０００−４０８８３号公報（〔請求項１〕、段落〔０００７〕、図２）
【特許文献２】特開２００１−２５３６２０号公報（〔請求項１〕、段落〔０００８〕、段落〔０００９〕、図２）
【発明の開示】
【発明が解決しようとする課題】
【０００７】
しかしながら、従来技術としては前記特許文献１及び２で示すように電子機器のカバー
に係る種々のものが提案されているが、放電による電子機器内部の電子部品の損傷を回避する技術は提案されていない。
【０００８】
そのため、貫通孔に望まされているスイッチに放電することを防止するために、外筺の裏面における挿入口周辺に接地された導電箔を貼付ける方法が考えられていた。しかし、この方法にあっては、導電箔までの距離がスイッチまでの距離より短くすることが困難であり、スイッチの方に放電してしまい目的を達成することできなかった。導電箔の貼付ける位置を十分に考慮してもばらつきが生じてしまい多量の電子機器全てについて確実に導電箔側に放電させることができなかった。
【０００９】
従って、従来は、このような電子機器において、放電による電子部品の損傷を回避することができないという問題点があった。
【００１０】
そこで、本発明は従来の問題点を除去した電子機器提供することを目的とする。
【課題を解決するための手段】
【００１１】
前記課題を解決するために、本願の請求項１に係る発明は、受信契約者を特定するデー
タが記憶されたデータ記憶体を装着するための装着部を有するデジタルテレビョン受像機である電子機器の本体と、前記装着部に形成された前記データ記憶体を挿入するための挿入口と、前記挿入口を覆うように開閉自在に回動して前記本体の外筺に設けたカバーと、前記外筺に形成した貫通孔を介して前記カバーに設けた押圧部により作動されるスイッチと、前記スイッチの作動により前記装着部に装着された前記データ記憶体のデータを読み取って前記電子機器の制御を行なうための電気回路部と、前記貫通孔を開閉し、この閉成状態において前記外筺の外側と前記スイッチとの間の空間からなる経路が開成状態より長くなり、該外筺の裏面に平行にガイドにより摺動可能に設けられた合成樹脂からなるシャッターと、前記シャッターに付され、少なくとも前記貫通孔を閉成した状態で接地路を通じて接地される導電材と、前記カバーの回動力を前記シャッターの摺動力に変換し、該カバーの開閉動作に連動して該シャッターによる前記貫通孔を閉成及び開成状態を得るための連結部とを備えてなることを特徴とする。
【００１２】
また、本願の請求項２に係る発明は、データ記憶体を装着するための装着部を有する電
子機器の本体と、前記装着部に形成された前記データ記憶体を挿入するための挿入口と、前記挿入口を覆うように開閉自在に前記本体の外筺に設けたカバーと、前記外筺に形成した貫通孔を介して前記カバーに設けた押圧部により作動されるスイッチと、前記スイッチの作動により前記装着部に装着された前記データ記憶体のデータを読み取って前記電子機器の制御を行なうための電気回路部と、前記貫通孔を開閉し、この閉成状態において前記外筺の外側と前記スイッチとの間の空間からなる経路が開成状態より長くするシャッターと、前記カバーの開閉動作に連動して前記シャッターによる前記貫通孔を閉成及び開成状態を得るための連結部とを備えてなることを特徴とする。
【００１３】
また、本願の請求項３に係る発明は、前記請求項２において、前記本体は、デジタルテレビョン受像機の本体であり、前記データ記憶体は、受信契約者を特定するデータが記憶されたものであることを特徴とする。
【００１４】
また、本願の請求項４に係る発明は、前記請求項2において、前記シャッターは、合成樹脂からなり、前記外筺の裏面に平行にガイドにより摺動可能に設けられていることを特徴とする。
【００１５】
また、本願の請求項５に係る発明は、前記請求項２において、前記カバーは、前記外筺に回動自在に設けられ、前記シャッターは、前記外筺の裏面にガイドにより摺動可能に設けられ、前記連結部は該カバーの回動力を前記シャッターの摺動力に変換することを特徴とする。
【００１６】
また、本願の請求項６に係る発明は、前記請求項２又は４において、前記シャッターは、少なくとも前記貫通孔を閉成した状態で接地路を通じて接地される導電材が付されていることを特徴とする。
【発明の効果】
【００１７】
本発明は上述のような構成をとることにより以下のような効果を奏する。すなわち、本
願の請求項１に係る本発明の電子機器においては、第一に、データ記憶体を装着するための挿入口をカバーによって開閉すると共に、カバーに設けた押圧部でもって貫通孔を介して外筺内のスイッチを作動し、カバーを開いた状態では貫通孔をシャッターで閉成し、この閉成状態で外筺の外側とスイッチとの間からなる経路がカバーを開いた状態よりも長くしたので、外筺の外方から静電気を帯びたものが近づいてもスイッチとの間で放電を生じない。しかも、シャッターが貫通孔を閉成している状態で接地される導電材を有しているため、仮にシャッターのところで放電が発生しても接地されることにより、スイッチには放電電流が全く流れることがなく、電気回路部を放電から確実に保護できる効果を有する。
【００１８】
第二に、本発明の適用機種が、使用者が人体に帯電することが多いデジタルテレビジョン受像機であるので、人体とスイッチとの間での放電を回避して電気回路部の破損を防止した有効なデジタルテレビジョン受像機を得ることができる。
【００１９】
第三に、シャッターが合成樹脂からなるため、製作が容易でありコスト的にも有利である。しかも、シャッターが外筺の面に沿って平行に摺動されるので、外筺内の狭い空間を有効に利用して放電を防止できる効果を有する。
【００２０】
第四に、カバーが外筺に回動自在に取り付けられているので、装着部の表面積を広くすることがなく小型の電子機器に好適である。しかも、連結部がカバーの回動力をシャッターの摺動力に変換し、カバーの開閉動作に連動して閉成及び開成を行なうので、確実な動作を簡単に行なうことができる効果を有する。
【００２１】
また、請求項２に係る発明の電子機器においては、データ記憶体を装着するための挿入口をカバーによって開閉すると共に、カバーに設けた押圧部でもって貫通孔を介して外筺内のスイッチを作動し、カバーを開いた状態では貫通孔をシャッターで閉成し、この閉成状態で外筺の外側とスイッチとの間からなる経路がカバーを開いた状態よりも長くしたので、外筺の外方から静電気を帯びたものが近づいてもスイッチとの間で放電を生じない。そのため、スイッチから放電電流が電気回路部に流れてこれを破損させることのない電子機器を提供できる。
【００２２】
また、請求項３に係る発明の電子機器においては、請求項２における本発明を使用者が人体に帯電することが多いデジタルテレビジョン受像機に適用したので、人体とスイッチとの間での放電を回避して電気回路部の破損を防止したデジタルテレビジョン受像機を得ることができる。
【００２３】
また、請求項４に係る発明の電子機器は、前記請求項２において、シャッターが合成樹脂からなるため、製作が容易でありコスト的にも有利である。しかも、シャッターが外筺の面に沿って平行に摺動されるので、外筺内の狭い空間を有効に利用して放電を防止できる効果を有する。
【００２４】
また、請求項５に係る発明の電子機器は、前記請求項２において、カバーが外筺に回動自在に取り付けられているので、装着部の表面積を広くすることがなく小型の電子機器に好適である。しかも、連結部がカバーの回動力をシャッターの摺動力に変換し、カバーの開閉動作に連動してシャッターによる貫通孔の閉成及び開成を行なうので、確実な動作を簡単に行なうことができる効果を有する。
【００２５】
また、請求項６に係る発明の電子機器は、前記請求項２または４において、シャッターが貫通孔を閉成している状態で接地される導電材を有しているため、仮にシャッターのところで放電が発生しても接地されることによりスイッチには放電電流が全く流れることがない効果を有する。
【発明を実施するための最良の形態】
【００２６】
本発明を実施するための最良の形態としては、以下に説明する実施例である。
【実施例】
【００２７】
本発明の実施例を図１〜図６によって説明する。図１は本発明の実施例を適用した有料デジタルテレビジョン受像機を示す斜視図、図２及び図３は図1における本発明の実施例の要部を示す斜視図、図４は本発明の要部における本体内部を示す一部を断面とした平面図、図５及び図6は本発明の実施例におけるシャッターと連結部を示す斜視図である。
【００２８】
図１、図２及び図３において、１は電子機器である有料デジタルテレビジョン受像機の本体であって、２はそのカードの装着部である。装着部２は全体的に合成樹脂製の外筺によって形成されている。装着部２の外筺３には挿入口４が形成され、データ記憶体であるカード５が矢印Aで示す方向から挿入されるようになっている。外筺３には、ヒンジ機構部６によって回動自在にカバー７が設けられ、装着部２の挿入口４を覆うようになっている。図２はカバー７が挿入口４を開成した状態であり、図３はカバー７が挿入口４を閉成した状態である。装着部２の端に相当する外筺３に貫通孔８が形成されている。カバー７の貫通孔８に相当する位置には押圧部9が設けられ、押圧部９がカバー７の開閉動作に対応して貫通孔８に挿入、離脱するようになっている。また、挿入口４の中央部分には、カード５を指でつまんで取り出すことを容易にするための凹部４１が形成されている。更に、外筺３には、装着装置２のリセット操作のための操作釦１０が設けられている。
【００２９】
図４に基づいて本体１の内部を説明する。本体１の内部には電気回路部１１が設けられている。この電気回路部１１は回路基板１１１と、回路基板１１１上に載置された集積回路、抵抗素子等の電子部品１１２によって形成されている。回路基板１１１の貫通孔８に対向する位置には、スイッチ１２が設けられている。このスイッチ１２の作動子１２１はカバー７の設けられた押圧部９によって押圧されるようになっている。
【００３０】
カード４は受信契約者を特定するデータが記録されており、カード装着部２に装着されると電気回路部１１に接続される。しかし、電気回路部１１の動作はスイッチ１２によって制御されるようになっている。即ち、カバー7が挿入口４を閉じた位置にあり、押圧部９が作動子１１１を押圧した状態では、電気回路部１１はオン状態のスイッチ１２によりカード５のデータに基づき正常に受信状態となるように作動する。しかし、カバー７が挿入口４を開いた位置にあり、押圧部９が作動子１１１を押圧しない状態では、電気回路部１１はオフ状態のスイッチ１２によりカード５とのデータのやり取りがなくなる。そのため、本体１が受信状態に設定されないようになっている。
【００３１】
挿入口４が形成されている外筺３の裏面にはシャッター１３が設けられている。このシャッター１３を図５、図６によって説明する。シャッター１３は合成樹脂製で板状からなる。そして、外筺３の裏面において、ガイド１４により外筺３の面と平行に摺動可能に配されている。シャッター１３と外筺３に設けられた突起１５との間には、弾発力を発揮するスプリング１６が介挿され、シャッター１３は図５で示すように常時挿入口８を閉成する矢印Bの方向に偏倚されている。シャッター１３の背面には導電材１７が貼り付けられている。この導電材１７は接地路１８を介して本体１に接地されている。１９はシャッター1３の移動位置を規制するためのストッパーである。
【００３２】
カバー７とシャッター１３との間には連結部２０が設けられている。この連結部２０は、カバー７とシャッター１３とを連結すると共に、ヒンジ機構部６において発生するカバー７の回動力をシャッター１３の摺動力に変換する構成を有するものである。
【００３３】
この構成の具体的な内容について、以下に説明する。ヒンジ機構部６は外筺３側に設けた軸６１とカバー７側に設けた係合片６２とが回動自在に係合されて形成されている。係合片６２にはシャッター１３の端に当接するテーパ面６３が設けられている。このテーパ面６３は、カバー７が開いた状態にあるときには、図５で示すようにシャッター１３の通路上から後退する。そして、シャッター１３がスプリング１６の弾発力によって偏倚されストッパー１９に当接されるまで移動するようになっている。一方、テーパ面６３はカバー７が閉じた状態にあるときには、図６で示すようにシャッター１３の通路上に入り込む。このテーパ面６３はカバー７の回動動作に連動して徐々に通路上に入り込むことにより、シャッター１３を矢印Cで示す方向に移動させるようになっている。このシャッター１３の矢印C方向の移動によって貫通孔８が開成されるようになっている。
【００３４】
次に、上述した本発明の実施例の構成による動作を説明する。テレビジョン放送を受信して所望の番組を視聴する場合は、受信契約者は図2で示すようにカード装着部２のカバー７を開き、カード５を挿入口４に挿入して装着部２に装着する。そして、受信契約者は図３で示すようにカバー７を閉じる。カバー７が閉じられることにより、連結部２０におけるテーパ面６３がシャッター１３の通路上に入り込み、シャッター１３の端を押圧してスプリング１６の弾発力に逆らってシャッター１３を矢印Cの方向に移動させる。このようなシャッター１３の移動によって、貫通孔８は図６で示すように開成される。この貫通孔８の開成と共に、カバー７に設けられた押圧部９が貫通孔８に挿入され、スイッチ１２の作動子１２１を押圧する。
【００３５】
装着部２は、カード５が装着されスイッチ１２がオン状態になることにより、電気回路部１１がカード５のＩＤのデータを読み取って受像機を受信可能な状態に設定する。従って、契約者は所望のチャンネルを有料で視聴できる。視聴中にも定期的にカード５のデータを読み取る。また、必要に応じて、カード５に新たなデータを書き込むことができる。
【００３６】
視聴中は、カバー７によって挿入口４が覆われているため、カード５を不用意に取り出すことがない。視聴後には、カード５をカード装着部２から取り出しておくことにより、第三者による無断の視聴がなされない。
【００３７】
カード５の装着、取り出し時にはカバー７を開く。カバー７が開いた状態では、連結部２０のテーパ面６３がシャッター１３の通路上から後退するので、シャッター１３はスプリング１６の弾発力によって貫通孔８を閉成する矢印Ｂ方向に移動する。このシャッター13による貫通孔8の閉成により、外筺３の外側からスイッチ１２に至るまでの放電経路は、図２において、矢印Ｄで示すようにシャッター１３を迂回する。従って、開成時よりも長くなる。そのため、カバー７を開いた状態で静電気を帯びた人体が近づいても、スイッチ12との間では実質的に放電を生じない。
【００３８】
更に、シャッター１３には導電材１７が貼り付けられ、接地路18により接地されている。そのため、例えスイッチ１２に放電しようとしても導電材１７、接地路１８を通じて放電電流が流れるので、スイッチ１２への放電が全くなくなる。  
【００３９】
上述した実施例の電子機器によれば、貫通孔８に対向した位置にスイッチ１２が内蔵されているが、スイッチ１２の作動子１２１を押圧しない場合には、貫通孔８をシャッター１３で閉成するので、外筺３の外部とスイッチ12との間の空間からなる経路がシャッター１３の開成状態よりも長くなるため、外側の静電気を帯びた人体とスイッチ１２間で放電を生じることがなくなる。しかも、合成樹脂製のシャッター１３の裏面に接地された導電材１８が貼り付けてあるので、例えた長い経路にかかわらず放電が生じてしまっても、放電電流が導電材１８を通じて接地されるため、スイッチ１２には放電しない。従って、電気回路部１１には放電電流が流れることがない。また、使用者が人体に帯電していることの多い有料デジタルテレビジョン受像機に適用されているのでその効果が大きい。
【００４０】
また、シャッター１３が合成樹脂からなるため、製作が容易でありコスト的にも有利である。しかも、シャッター１３が外筺３の面に沿ってガイド１４により平行に摺動されるので、外筺３内の狭い空間を有効に利用できる。
【００４１】
また、カバー７が外筺３にヒンジ機構部６により回動自在に取り付けられているので、装着部２の表面積を広くすることがなく小型の電子機器に好適である。しかも、連結部２０がカバー７の回動力をシャッター１３の摺動力に変換し、カバー７の開閉動作に連動してシャッター１３による貫通孔８の閉成及び開成を行なうので、確実な動作を簡単に行なうことができる。
【００４２】
尚、上述した本発明の実施例にあっては、シャッター１３に接地された導電材１７を設けたが、この導電材１７を設けなくてもシャッター１３だけも空間の経路を長くして放電の発生を十分に防止できる。
【００４３】
尚また、上述した本発明の実施例においては、データを記憶したものとしてカード５を用いたが、これに限定されることなくスティック状、チップ状等の形状の記録媒体からなる各種のものがデータ記憶体として適用できる。
【００４４】
尚更に、本発明の実施例においては、シャッター１３は外筺３の面に平行に直線的に摺動するものであるが、１点で回動自在に軸支された回転型のシャッターであってもよい。そして、連結部２０の構成は、実施例に限定されることなく種々の変更ができる。
【００４５】
尚更にまた、本発明の適用した有料デジタルテレビジョン受像機は、モニターとチューナ部分とが分離されたもので、装着部２をチューナに設けたものであってもよい。また、デジタルテレビ受像機は有料でなく、著作権保護、成人向け放送等のために単に受信者を制限したり、受信状況を管理する等の無料のものであってもよい。
【図面の簡単な説明】
【００４６】
【図１】図１は、本発明の実施例を適用した有料デジタルテレビジョン受像機を示す斜視図である。
【図２】図２は、図1における本発明の実施例の要部におけるカバーを開いた状態を示す斜視図である。
【図３】図３は、図1における本発明の実施例の要部におけるカバーを閉じた状態を示す斜視図である。
【図４】図４は、本発明の実施例の要部における本体内部を示す一部を断面とした平面図である。
【図５】図５は、本発明の実施例におけるカバーを開いた状態でのシャッター及び連結部を示す斜視図である。
【図６】図6は、本発明の実施例におけるカバーを閉じた状態でのシャッター及び連結部を示す斜視図である。
【符号の説明】
【００４７】
１        本体
２        装着部
３        外筺
４        挿入口
５        カード
６        ヒンジ機構部
７        カバー
８        貫通孔
９        押圧部
１０      操作釦
１１      電気回路部
１２      スイッチ
１３      シャッター
１４      ガイド  
１６      スプリング
１７      導電材
１８      接地路
２０      連結部
６１      支軸
６２      係合片
６３      テーパ面
１１１    回路基板  
１１２    電子部品
１２１    作動子    
【図１】
0003723979.tif 000002
【図２】
0003723979.tif 000003
【図３】
0003723979.tif 000004
【図４】
0003723979.tif 000005
【図５】
0003723979.tif 000006
【図６】
0003723979.tif 000007